(57)【特許請求の範囲】
【請求項１】
揺動管方式のピストンポンプのめがね板の左右の吸込吐出口の間隔をウェアプレートの開口部の幅以上とし、ウェアプレートの開口部の両側にめがね板の吸込吐出口の幅以上のシール部を設けたピストンポンプの逆流防止装置において、
揺動管の揺動の全行程でウェアプレートが常時摺接するめがね板の摺動面に潤滑剤注入溝を設けるとともに、めがね板の上部と下部とに摺動面を設け、上部摺動面と下部摺動面との間の領域に摺動逃げ部を設けたことを特徴とするピストンポンプの逆流防止装置の摺動部潤滑機構。
【請求項２】
揺動管方式のピストンポンプのめがね板の左右の吸込吐出口の間隔をウェアプレートの開口部の幅以上とし、ウェアプレートの開口部の両側にめがね板の吸込吐出口の幅以上のシール部を設けたピストンポンプの逆流防止装置において、
揺動管の揺動の全行程でウェアプレートが常時摺接するガイド板の摺動面に潤滑剤注入溝を設けるとともに、めがね板の上部と下部とに摺動面を設け、上部摺動面と下部摺動面との間の領域に摺動逃げ部を設けたことを特徴とするピストンポンプの逆流防止装置の摺動部潤滑機構。
【発明の詳細な説明】
【０００１】
【発明の属する技術分野】
本発明は、建築、土木工事における流動性の乏しい低スランプのコンクリートや土砂の圧送、あるいは、下水処理場やし尿処理場等で発生する低含水率の脱水汚泥の圧送等に用いられる揺動管方式のピストンポンプにおいて、容積効率を向上させ、揺動管の切換時に発生する振動及び衝撃を低減させるピストンポンプの逆流防止装置に関するものである。
【０００２】
【従来の技術】
一般に、揺動管方式のピストンポンプは、図４及び図５に示すように、ホッパー１の背壁１Ｂの下部に左右一対の吸込吐出口１Ｌ、１Ｒを設け、ホッパー１の背部には、吸込吐出口１Ｌ、１Ｒにそれぞれ一端が開口したポンプシリンダ４Ｌ、４Ｒを取付けている。ポンプシリンダ４Ｌ、４Ｒ内には、それぞれ搬送ピストン７を備えており、この搬送ピストン７は、駆動シリンダ６Ｌ、６Ｒによって交互に往復動されるようになっている。ポンプシリンダ４Ｌ、４Ｒと駆動シリンダ６Ｌ、６Ｒとの接合部には水封箱５が設けられている。
【０００３】
ホッパー１内には、揺動管２が設置されている。この揺動管２は、基端部２Ｂがホッパー１の前壁１Ｆに回動可能に支持されており、揺動管２の中間部には、ホッパー１の背壁１Ｂに回動可能に支持された揺動管軸１０の一端が固定されている。揺動管軸１０の回転中心と揺動管２の基端部２Ｂの回転中心とは同一線上にある。ホッパー１の背壁１Ｂ外に延出した揺動管軸１０の他端には、切換レバー１１が固着され、この切換レバー１１とホッパー１との間に切換シリンダ３Ｌ、３Ｒが取付けられていて、切換シリンダ３Ｌ、３Ｒの一方が伸長するとき他方が縮小するようになっている。
【０００４】
切換シリンダ３Ｌ、３Ｒが伸縮すると、揺動管軸１０が回動して、揺動管２は左右に揺動され、揺動管２の先端部２Ｔが交互に左右の吸込吐出口１Ｌ、１Ｒに臨む位置へ移動する。
ホッパー１の吸込吐出口１Ｌ、１Ｒの周囲の揺動管２の先端部２Ｔが摺接する部分には、吸込吐出口１Ｌ、１Ｒを形成する左右一対の開口を備えた交換可能なめがね板８が取付けられている。また、揺動管２の先端部２Ｔは、めがね板８に圧接されて摺動するので、交換可能なウェアプレート１２が取付けられている。このめがね板８とウェアプレート１２とには、耐摩耗材が使用される。
【０００５】
揺動管２の基端部２Ｂには、輸送管（図示略）が接続される。土砂等の輸送対象物を輸送するときには、ホッパー１内に輸送対象物が投入される。そこで、一方（例えば右側）の搬送ピストン７を後退させてポンプシリンダ４Ｒ内に輸送対象物を吸込んだ後、揺動管２を揺動させて先端部２Ｔをそのポンプシリンダ４Ｒ側の吸込吐出口１Ｒに臨ませ、搬送ピストン７を前進させてポンプシリンダ４Ｒ内の輸送対象物を揺動管２から輸送管へ吐出する。一方のポンプシリンダ４Ｒが吐出行程にあるとき、他方のポンプシリンダ４Ｌでは搬送ピストン７を後退させてポンプシリンダ４内に輸送対象物を吸込む。
【０００６】
次に、揺動管２を揺動させて先端部２Ｔを他方のポンプシリンダ４Ｌ側の吸込吐出口１Ｌに臨ませ、搬送ピストン７を前進させてポンプシリンダ４Ｌ内の輸送対象物を揺動管２から吐出する。この吸込行程と吐出行程とを左右交互に行うことにより継続的に輸送対象物を輸送する。
上記の揺動管方式のピストンポンプでは揺動管２を揺動させて先端部２Ｔを左側の吸込吐出口１Ｌから右側の吸込吐出口１Ｒへ、または、右側の吸込吐出口１Ｒから左側の吸込吐出口１Ｌへ切換える途中で左右の吸込吐出口１Ｌ、１Ｒが揺動管２を介して連通する状態が生じる。このとき、輸送対象物の一部が、高圧な吐出側のポンプシリンダから低圧なポンプシリンダへ瞬間的に逆流するため、ピストンポンプは容積効率が低下し、振動や衝撃が発生するおそれがある。また、このような逆流が生じるピストンポンプは並列運転ができない。
【０００７】
この問題を解決するために、図６、図７に示すように、めがね板８の左右の吸込吐出口１Ｌ、１Ｒの間隔をウェアプレート１２の開口部１３の幅以上とし、ウェアプレート１２の開口部１３の両端にめがね板８の吸込吐出口１Ｌ、１Ｒの幅以上のシール部１４を設けたピストンポンプの逆流防止装置が提案されている（特願２００１−００７００３参照）。
【０００８】
このピストンポンプの逆流防止装置によれば、揺動管２を揺動させて先端部２Ｔを左側の吸込吐出口１Ｌから右側の吸込吐出口１Ｒへ、または、右側の吸込吐出口１Ｒから左側の吸込吐出口１Ｌへ、即ちウェアプレート１２を図７（ａ）の位置から図７（ｃ）の位置へ、または、図７（ｃ）の位置から図７（ａ）の位置へ、切換える途中、図７（ｂ）の位置に達しても左右の吸込吐出口１Ｌ、１Ｒが連通する状態が生じることはなく、逆流を防止することができる。
【０００９】
【発明が解決しようとする課題】
ところが、従来の揺動管方式のピストンポンプの逆流防止装置では、めがね板８とウェアプレート１２間、および、ウェアプレート１２を摺動自在に案内保持するためのガイド板１７とウェアプレート１２間の摺動部は、輸送対象物内にあり、輸送対象物以外の潤滑剤によるに潤滑は行われていなかった。
【００１０】
このため、輸送対象物の性状によっては、めがね板８、ウェアプレート１２、ガイド板１７の摺動部の摩耗が早いという問題があった。
本発明は、揺動管方式のピストンポンプの逆流防止装置における上記問題を解決するものであって、めがね板、ウェアプレート、ガイド板の摺動部の摩耗を低減させるピストンポンプの逆流防止装置の摺動部潤滑機構を提供することを目的とする。
【００１１】
【課題を解決するための手段】
本発明では、上記課題を解決するため、揺動管方式のピストンポンプのめがね板の左右の吸込吐出口の間隔をウェアプレートの開口部の幅以上とし、ウェアプレートの開口部の両側にめがね板の吸込吐出口の幅以上のシール部を設けたピストンポンプの逆流防止装置において、揺動管の揺動の全行程でウェアプレートが常時摺接するめがね板の摺動面に潤滑剤注入溝を設けている。
【００１２】
このピストンポンプの逆流防止装置の摺動部潤滑機構は、めがね板の摺動面に設けた潤滑剤注入溝に逆流防止装置の外部から潤滑剤を供給することにより、揺動管の揺動の全行程でウェアプレートの開口部が通過することのないめがね板の摺動面を潤滑し、めがね板、ウェアプレート間の摺動部の摩耗を低減させることができる。
【００１３】
また、揺動管の揺動の全行程でウェアプレートが常時摺接するガイド板の摺動面に潤滑剤注入溝を設けて、潤滑剤注入溝に逆流防止装置の外部から潤滑剤を供給することにより、ガイド板の摺動面を潤滑し、ガイド板、ウェアプレート間の摺動部の摩耗を低減させることができる。
さらに、めがね板の上部と下部とに摺動面を設け、上部摺動面と下部摺動面との間の領域に摺動逃げ部を設けることにより、めがね板、ウェアプレート間の摺動抵抗を低減させることができる。
【００１４】
【発明の実施の形態】
図１は本発明の実施の一形態を示すピストンポンプの逆流防止装置の摺動部潤滑機構の構成図、図２はめがね板の摺動面の潤滑剤注入溝の配置を示す図、図３はガイド板の摺動面の潤滑剤注入溝の配置を示す図である。
ここで、ピストンポンプの基本的構成は、図４及び図５に示す従来のものと同様であって、ホッパー１の背壁１Ｂの下部に左右一対の吸込吐出口１Ｌ、１Ｒを設け、ホッパー１の背部には、吸込吐出口１Ｌ、１Ｒにそれぞれ一端が開口したポンプシリンダ４Ｌ、４Ｒを取付けている。ポンプシリンダ４Ｌ、４Ｒ内には、それぞれ搬送ピストン７を備えており、この搬送ピストン７は、駆動シリンダ６Ｌ、６Ｒによって交互に往復動されるようになっている。ポンプシリンダ４Ｌ、４Ｒと駆動シリンダ６Ｌ、６Ｒとの接合部には水封箱５が設けられている。
【００１５】
ホッパー１内には、揺動管２が設置されている。この揺動管２は、基端部２Ｂがホッパー１の前壁１Ｆに回動可能に支持されており、揺動管２の中間部には、ホッパー１の背壁１Ｂに回動可能に支持された揺動管軸１０の一端が固定されている。揺動管軸１０の回転中心と揺動管２の基端部２Ｂの回転中心とは同一線上にある。ホッパー１の背壁１Ｂ外に延出した揺動管軸１０の他端には、切換レバー１１が固着され、この切換レバー１１とホッパー１との間に切換シリンダ３Ｌ、３Ｒが取付けられていて、切換シリンダ３Ｌ、３Ｒの一方が伸長するとき他方が縮小するようになっている。
【００１６】
切換シリンダ３Ｌ、３Ｒが伸縮すると、揺動管軸１０が回動して、揺動管２は左右に揺動され、揺動管２の先端部２Ｔが交互に左右の吸込吐出口１Ｌ、１Ｒに臨む位置へ移動する。
ホッパー１の吸込吐出口１Ｌ、１Ｒの周囲の揺動管２の先端部２Ｔが摺接する部分には、吸込吐出口１Ｌ、１Ｒを形成する左右一対の開口を備えた交換可能なめがね板８が取付けられている。また、揺動管２の先端部２Ｔは、めがね板８に圧接されて摺動するので、交換可能なウェアプレート１２が取付けられている。このめがね板８とウェアプレート１２とには、耐摩耗材が使用される。
【００１７】
揺動管２の基端部２Ｂには、輸送管（図示略）が接続される。
ピストンポンプは、図６及び図７に示すものと同様な逆流防止装置を備えている。即ち、めがね板８の左右の吸込吐出口１Ｌ、１Ｒの間隔をウェアプレート１２の開口部１３の幅以上とし、ウェアプレート１２の開口部１３の両端にめがね板８の吸込吐出口１Ｌ、１Ｒの幅以上のシール部１４が設けられている。
【００１８】
ホッパー１の下部には、図１及び図３に示すように、ウェアプレート１２案内用のガイド板１７を固定するための固定壁１８が設けられている。この固定壁１８は、側面視Ｌ字状でその水平部分の後端がホッパー１の背壁１Ｂに固設されており、固定壁１８の垂直部分の背後にはガイド板１７がボルト１９で固定されている。
【００１９】
このピストンポンプの逆流防止装置において、めがね板８の上部と下部とには、揺動管２の揺動の全行程でウェアプレート１２が常時摺接するめがね板上部摺動面８Ａとめがね板下部摺動面８Ｂとが形成されており、めがね板上部摺動面８Ａとめがね板下部摺動面８Ｂには、それぞれめがね板上部潤滑剤注入溝２０とめがね板下部潤滑剤注入溝２１とが設けてられている。
【００２０】
めがね板上部潤滑剤注入溝２０とめがね板下部潤滑剤注入溝２１とは、それぞれホッパー１の背部に設けられためがね板上部潤滑剤注入口２２とめがね板下部潤滑剤注入口２３とに潤滑剤供給路２４、２５を介して連通しており、外部から潤滑剤が供給可能となっている。
また、ガイド板１７の上部には、揺動管２の揺動の全行程でウェアプレート１２が常時摺接するガイド板摺動面１７Ａが形成されており、ガイド板摺動面１７Ａには、ガイド板潤滑剤注入溝２６が設けてられている。ガイド板潤滑剤注入溝２６は、ホッパー１の下部に設けられたガイド板潤滑剤注入口２７に潤滑剤供給路２８を介して連通しており、外部から潤滑剤が供給可能となっている。
【００２１】
さらに、めがね板８には、めがね板上部摺動面８Ａとめがね板下部摺動面８Ｂとの間の領域に摺動逃げ部８Ｃが設けられている。
摺動逃げ部８Ｃは、めがね板８の表面を若干研磨する等の手段により、輸送対象物の漏洩が生じない範囲で極僅か凹陥させ、めがね板８とウェアプレート１２とが強く圧接する摺動面を少なくすることで、摺動抵抗を低減させるものである。
【００２２】
上記の構成により、このピストンポンプの逆流防止装置の摺動部潤滑機構は、めがね板上部摺動面８Ａとめがね板下部摺動面８Ｂに設けためがね板上部潤滑剤注入溝２０とめがね板下部潤滑剤注入溝２１とに、逆流防止装置の外部のめがね板上部潤滑剤注入口２２とめがね板下部潤滑剤注入口２３とから潤滑剤を供給することにより、揺動管２の揺動の全行程でウェアプレート１２の開口部１３が通過することのないめがね板上部摺動面８Ａとめがね板下部摺動面８Ｂとを潤滑して、めがね板８とウェアプレート１２との間の摺動部の摺動抵抗を低減させると共に摺動を円滑にし、摩耗を低減させることができる。
【００２３】
また、ガイド板潤滑剤注入溝２６に逆流防止装置の外部のガイド板潤滑剤注入口２７から潤滑剤を供給することにより、ガイド板１７の摺動面１７Ａを潤滑して、ガイド板１７とウェアプレート１２との間の摺動部の摺動抵抗を低減させると共に摺動を円滑にし、摩耗を低減させることができる。
さらに、めがね板上部摺動面８Ａとめがね板下部摺動面８Ｂとの間、即ち揺動管２の揺動の行程でウェアプレート１２の開口部１３が通過する領域には摺動逃げ部８Ｃが設けられているので、めがね板８とウェアプレート１２との間の摺動抵抗を低減させることができる。
【００２４】
【発明の効果】
以上説明したように、本発明のピストンポンプの逆流防止装置の摺動部潤滑機構によれば、めがね板、ウェアプレート、ガイド板の摺動部の摺動抵抗を低減させると共に摺動を円滑にし、摩耗を低減させることができる。
【図面の簡単な説明】
【図１】本発明の実施の一形態を示すピストンポンプの逆流防止装置の摺動部潤滑機構の構成図である。
【図２】めがね板の摺動面の潤滑剤注入溝の配置を示す図である。
【図３】ガイド板の摺動面の潤滑剤注入溝の配置を示す図である。
【図４】従来のピストンポンプの構成を示す平面図である。
【図５】従来のピストンポンプの構成を示す要部縦断面図である。
【図６】従来のピストンポンプの逆流防止装置の構成図である。
【図７】従来のピストンポンプの逆流防止装置の作用の説明図である。
【符号の説明】
１      ホッパー
１Ｂ    背壁
１Ｆ    前壁
１Ｌ、１Ｒ    吸込吐出口
２      揺動管
２Ｂ    基端部
２Ｔ    先端部
４Ｌ、４Ｒ    ポンプシリンダ
８      めがね板
８Ａ    めがね板上部摺動面
８Ｂ    めがね板下部摺動面
８Ｃ    摺動逃げ部
１０    揺動軸
１１    切換レバー
１２    ウェアプレート
１３    開口部
１４    シール部
１７    ガイド板
１７Ａ  ガイド板摺動面
１８    固定壁
２０    めがね板上部潤滑剤注入溝
２１    めがね板下部潤滑剤注入溝
２２    めがね板上部潤滑剤注入口
２３    めがね板下部潤滑剤注入口
２６    ガイド板潤滑剤注入溝
２７    ガイド板潤滑剤注入口
【図１】
0004083470.tif 000002
【図２】
0004083470.tif 000003
【図３】
0004083470.tif 000004
【図４】
0004083470.tif 000005
【図５】
0004083470.tif 000006
【図６】
0004083470.tif 000007
【図７】
0004083470.tif 000008